【事件の表示】
　特願２００１−　５８０６４「制御システム」拒絶査定不服審判事件〔平成１４年　９月１３日出願公開、特開２００２−２５９０１３〕について、次のとおり審決する。
【結　論】
　本件審判の請求は、成り立たない。
【理　由】
１．手続きの経緯
　
　本件出願は、平成１３年　３月　２日の出願であって、平成１８年　４月１９日付けで最初の拒絶理由が通知され、これに対して同年　６月２６日付けで手続補正書が提出されたが、同年１２月　７日付けで最後の拒絶理由が通知され、これに対して平成１９年　２月　７日付けで手続補正書が提出されたが、同年　４月１９日付けで平成１９年　２月　７日付けでした手続補正について補正の却下の決定がなされると共に同日付けで拒絶査定され、これに対して同年　５月２４日付けで拒絶査定不服審判が請求されると共に同年　６月１９日付けで手続補正書が提出されたが、平成２２年　６月１０日付けで平成１９年　６月１９日付けでした手続補正について補正の却下の決定がなされると共に同日付けで最後の拒絶理由が通知され、これに対して平成２２年　８月　４日付けで手続補正書が提出されたものである。
　
２．平成２２年　８月　４日付けでした手続補正についての補正却下の決定
　
［補正却下の決定の結論]
　
　平成２２年　８月　４日付けでした手続補正を却下する。
　
［理由］
　
（１）補正の内容について
　
　平成１８年　６月２６日付け手続補正書によって補正された明細書の特許請求の範囲は、平成２２年　８月　４日付けでした手続補正（以下、「本件補正」という。）により、以下のとおり補正された。
　
　
＜＜本件補正前の特許請求の範囲＞＞
　
「　　【請求項１】　ターゲットシステムを制御可能とするＰＬＣと、ビデオカメラと、コンピュータ装置とが外部装置として表示装置に接続され、前記外部装置から出力されるデータに対応した画像表示動作を前記表示装置におけるディスプレイの画面上で可能とする制御システムにおいて、
　前記コンピュータ装置は、
　前記表示装置を介して前記ＰＬＣのメモリユニット内から適宜時期にデータを収集可能とする一方、その収集したデータを所定のデータ処理手段を使用してリアルタイムあるいは適宜時期にデータ解析可能とするとともに、その解析結果画面情報を前記表示装置側に配信可能とするものであり、
　該表示装置は、
　内部メモリ上にあって、実行すべき個別の動作内容を特定する参照情報を備えた処理指示語を、表示処理すべき一連の動作内容に対応させて格納するための事象データ格納手段と、
　該事象データ格納手段に格納された前記処理指示語から参照可能なデータファイルを記憶するための外部メモリと、
　前記事象データ格納手段に格納された処理指示語を順次に解読し、その解読内容に対応した画像表示動作を前記画面上で行わせる表示制御手段と、
　前記内部メモリ上にあって、前記表示制御手段による画像表示動作時に参照されるデータを格納する参照データ格納手段とを備え、
　前記データファイルは、特定の表示内容に関係しないシステム情報を含むシステムファイルと、画像ファイルとから構成され、
　該画像ファイルには、
　画像表示用ウインドウを特定可能とするウインドウ情報と、
　該画像表示用ウインドウ上における画面の分割状態を特定可能とする画面分割情報と、
　該画面分割情報で特定される各分割画面上で表示される画像内容を特定可能とする画像情報とが含まれ、
　該画像情報には、前記ビデオカメラから出力される動画像情報と、前記コンピュータ装置から送られる前記解析結果画面情報とが含まれ、
　前記画像表示用ウインドウは、前記ディスプレイの画面に全面に亘って表示されるベース画面上の所定座標に、前記ウインドウ情報に基づいて開かれるものであり、
　前記分割画面は、前記画像表示用ウインドウを前記画面分割情報に基づいて分割することにより構成されるものであり、
　前記表示制御手段によるビデオ画像の表示時期に前記処理指示語を介して参照される参照情報は、前記内部メモリ上における所定アドレスであって、
　該アドレスで特定される所定のメモリ領域には、前記画像表示用ウインドウの表示時期を規定するコントロール情報と、前記ベース画面上における前記画像表示用ウインドウの前記表示座標と、前記画像表示用ウインドウに表示される前記画像情報中におけるビデオ画像を特定するビデオ画像番号がウインドウ基本情報として格納されており、
　前記表示制御手段により処理指示語が解読されてビデオ画像の表示時期が検出されると、
　当該処理指示語から参照される前記データファイル内のビデオ表示に必要な情報は、前記参照データ格納手段に設定されたビデオ制御エリア上にビデオ表示情報として格納され、それ以後は、該ビデオ表示情報を利用してビデオ画像の表示動作が前記表示制御手段により前記分割画面上で行われることを特徴とする制御システム。
　　【請求項２】　前記ビデオカメラは複数あって、
　所定の選択動作と連動して、前記ビデオカメラから出力される前記動画像情報が静止画像情報として取り込まれる請求項１記載の制御システム。
　　【請求項３】　前記画像情報には前記静止画像情報が含まれる請求項２記載の制御システム。
　　【請求項４】　前記内部メモリに格納された前記ウインドウ基本情報と前記ビデオ表示情報はともに、前記表示装置の内外から変更可能としたことを特徴とする請求項３記載の制御システム。
　　【請求項５】　前記画像表示用ウインドウは複数あって、重畳して表示されるとともに、
　所定の選択動作と連動して、選択された画像表示用ウインドウが最上層に表示される請求項４記載の制御システム。」
　
＜＜本件補正後の特許請求の範囲＞＞
　
「　　【請求項１】
　ターゲットシステムを制御可能とするＰＬＣと、ビデオカメラと、コンピュータ装置とを外部装置として表示装置に接続し、前記外部装置から出力されるデータに対応した画像表示動作を前記表示装置におけるディスプレイの画面上で可能とする制御システムにおいて、
　前記コンピュータ装置は、
　前記表示装置を介して前記ＰＬＣのメモリユニット内から適宜時期にデータを収集可能とする一方、その収集したデータを所定のデータ処理手段を使用してリアルタイムあるいは適宜時期にデータ解析可能とするとともに、その解析結果の表示画面に関するデータを前記表示装置側に配信可能とするものであり、
　前記表示装置は、外部メモリに記憶されたデータファイルを内部メモリに読み込み、該内部メモリに読み込まれたデータを表示制御手段で参照しながら前記画面上で画像表示動作を行うものであって、
　前記内部メモリ上には、実行すべき個別の動作内容を特定する参照情報を備えた複数の処理指示語を、表示処理すべき一連の動作内容に対応させて格納するための事象データ格納手段を備え、
　前記表示制御手段では、前記事象データ格納手段に格納された処理指示語を順次に解読し、各処理指示語の参照情報に基づいて直接的または間接的に特定される前記内部メモリ上の各種データを参照しながら、その解読内容に対応した画像表示動作を前記画面上で可能とし、更に、
　前記内部メモリ上には、前記表示制御手段による画像表示動作時に該表示制御手段により参照されるデータを格納する参照データ格納手段を備え、
　前記処理指示語として、ビデオ画像を前記画面上で表示可能とするビデオ画像表示用の処理指示語を備える一方、
　前記外部メモリに記憶する前記データファイルを、特定の表示内容に関係しないシステム情報を含むシステムファイルと、画像ファイルとから構成し、
　該画像ファイルには、
　前記ディスプレイの画面に全面に亘って表示されるベース画面上の所定座標に開かれる画像表示用ウインドウを特定可能とするウインドウ情報と、
　該ウインドウ情報により特定された画像表示用ウインドウ上における画面の分割状態を特定可能とする画面分割情報と、
　該画面分割情報で特定される各分割画面上で表示される画像内容を特定可能とする画像情報と、をビデオ表示情報として含み、
　前記画像情報には、前記ビデオカメラから出力される動画像と、該動画像から作られる静止画像と、前記コンピュータ装置から送られる前記解析結果の表示画面の少なくとも何れか１つを特定可能な情報を含む一方、
　前記ビデオ画像表示用の処理指示語に含まれる参照情報として、前記内部メモリ上における所定アドレスのみを格納し、
　該アドレスで特定される前記内部メモリ上の所定のメモリ領域には、前記画像表示用ウインドウの表示時期を規定するコントロール情報と、前記ベース画面上における前記画像表示用ウインドウの前記表示座標と、所定のビデオ画像番号とをウインドウ基本情報として格納し、
　前記外部メモリ上に、前記ビデオ画像番号でその画像表示に必要な前記ビデオ表示情報を複数種類から１つに特定可能に前記画像ファイルを格納しておき、
　前記表示制御手段により前記事象データ格納手段中の処理指示語として前記ビデオ画像表示用の処理指示語が含まれている画面表示が行なわれる場合、初期化動作として前記システムファイル中の前記システム情報が前記参照データ格納手段に設定されたビデオ制御エリア上に格納され、更に、
　前記表示制御手段による前記処理指示語の解読時に前記コントロール情報に基づいてビデオ画像の表示時期が検出されると、前記画像ファイル中における前記ビデオ表示情報が前記ビデオ画像番号で特定されたあと前記ビデオ制御エリア上に格納され、それ以後は、該ビデオ表示情報を利用してビデオ画像の表示動作が前記表示制御手段により前記ウインドウの分割画面上で継続される一方、
　前記コントロール情報に基づいてビデオ画像の表示停止時期が検出されると、前記画面上に開かれていた前記ウインドウが閉じられるものであって、更に、
　前記内部メモリ上に格納した前記ウインドウ基本情報とビデオ表示情報をともに、前記表示装置の内外から変更可能としたことを特徴とする制御システム。」
　
（２）本件補正前後の各請求項の対応関係について
　
　本件補正前後の請求項の記載を対比して検討すると、本件補正後の請求項１に係る発明は、本件補正前の請求項１を引用する請求項２を引用する請求項３を引用する請求項４に係る発明に対応する。
　
（３）補正の目的
　
　本件補正により、本件補正前の請求項１乃至３及び５に係る発明は削除されている。
　
　また、本件補正により、本件補正前の請求項１を引用する請求項２を引用する請求項３を引用する請求項４の「その解析結果画面情報」との事項は、本件補正後の請求項１の「その解析結果の表示画面に関するデータ」との事項に補正され、これは、同一の事項の言い換えにすぎず、発明を特定するために必要な事項を実質的に補正したものではない。
　
　また、本件補正により、本件補正前の請求項１を引用する請求項２を引用する請求項３を引用する請求項４の「該表示装置は、」との事項は、本件補正後の請求項１の「前記表示装置は、外部メモリに記憶されたデータファイルを内部メモリに読み込み、該内部メモリに読み込まれたデータを表示制御手段で参照しながら前記画面上で画像表示動作を行うものであって、」との事項に補正され、これは、表示装置の動作を、「外部メモリに記憶されたデータファイルを内部メモリに読み込み、該内部メモリに読み込まれたデータを表示制御手段で参照しながら前記画面上で画像表示動作を行うものであって、」との事項により限定して特定するものであるから、発明を特定するために必要な事項を限定して減縮するものである。
　
　また、本件補正により、本件補正前の請求項１を引用する請求項２を引用する請求項３を引用する請求項４の「該表示装置は、内部メモリ上にあって、実行すべき個別の動作内容を特定する参照情報を備えた処理指示語を、表示処理すべき一連の動作内容に対応させて格納するための事象データ格納手段と、該事象データ格納手段に格納された前記処理指示語から参照可能なデータファイルを記憶するための外部メモリと、前記事象データ格納手段に格納された処理指示語を順次に解読し、その解読内容に対応した画像表示動作を前記画面上で行わせる表示制御手段と、前記内部メモリ上にあって、前記表示制御手段による画像表示動作時に参照されるデータを格納する参照データ格納手段とを備え」との事項は、本件補正後の請求項１の「前記表示装置は、外部メモリに記憶されたデータファイルを内部メモリに読み込み、該内部メモリに読み込まれたデータを表示制御手段で参照しながら前記画面上で画像表示動作を行うものであって、前記内部メモリ上には、実行すべき個別の動作内容を特定する参照情報を備えた複数の処理指示語を、表示処理すべき一連の動作内容に対応させて格納するための事象データ格納手段を備え、前記表示制御手段では、前記事象データ格納手段に格納された処理指示語を順次に解読し、各処理指示語の参照情報に基づいて直接的または間接的に特定される前記内部メモリ上の各種データを参照しながら、その解読内容に対応した画像表示動作を前記画面上で可能とし、更に、前記内部メモリ上には、前記表示制御手段による画像表示動作時に該表示制御手段により参照されるデータを格納する参照データ格納手段を備え」との事項に補正され、これは、表示装置が、本件補正前の請求項１を引用する請求項２を引用する請求項３を引用する請求項４の「該事象データ格納手段に格納された前記処理指示語から参照可能なデータファイルを記憶するための外部メモリと、」との事項を備えることを削除する補正であるから、平成１９年　６月１９日付けの最後の拒絶理由の理由１）で示した明りょうでない記載について釈明するものである。
　
　また、本件補正により、本件補正前の請求項１を引用する請求項２を引用する請求項３を引用する請求項４の「前記データファイルは、特定の表示内容に関係しないシステム情報を含むシステムファイルと、画像ファイルとから構成され、」との事項は、本件補正後の請求項１の「前記処理指示語として、ビデオ画像を前記画面上で表示可能とするビデオ画像表示用の処理指示語を備える一方、前記外部メモリに記憶する前記データファイルを、特定の表示内容に関係しないシステム情報を含むシステムファイルと、画像ファイルとから構成し、」との事項に補正され、これは、表示装置が備える処理指示語を「ビデオ画像を前記画面上で表示可能とするビデオ画像表示用の処理指示語」との事項に特定して限定すると共に、データファイルを記憶するメモリを「外部メモリ」との事項により特定して限定するものであるから、発明を特定するために必要な事項を限定して減縮するものである。
　
　また、本件補正により、本件補正前の請求項１を引用する請求項２を引用する請求項３を引用する請求項４の「画像表示用ウインドウを特定可能とするウインドウ情報と、」との事項は、本件補正後の請求項１の「前記ディスプレイの画面に全面に亘って表示されるベース画面上の所定座標に開かれる画像表示用ウインドウを特定可能とするウインドウ情報と、」との事項に補正され、これは、本件補正前の請求項１を引用する請求項２を引用する請求項３を引用する請求項４の「前記画像表示用ウインドウは、前記ディスプレイの画面に全面に亘って表示されるベース画面上の所定座標に、前記ウインドウ情報に基づいて開かれるものであり、」との事項を言い換えたものにすぎず、発明を特定するために必要な事項を実質的に補正するものではない。
　
　また、本件補正により、本件補正前の請求項１を引用する請求項２を引用する請求項３を引用する請求項４の「該画像表示用ウインドウ」との事項は、本件補正後の請求項１の「該ウインドウ情報により特定された画像表示用ウインドウ」との事項に補正され、これは、画像表示用ウインドウを「該ウインドウ情報により特定された」との事項により特定して限定するものであるから、発明を特定するために必要な事項を限定して減縮するものである。
　
　また、本件補正により、本件補正前の請求項１を引用する請求項２を引用する請求項３を引用する請求項４の「が含まれ、」との事項は、本件補正後の請求項１の「、をビデオ表示情報として含み、」との事項に補正され、これは、画像ファイルが含むウインドウ情報、画面分割情報及び画像情報の用途を「ビデオ表示情報」との事項により特定して限定するものであるから、発明を特定するために必要な事項を限定して減縮するものである。
　
　また、本件補正により、本件補正前の請求項１を引用する請求項２を引用する請求項３を引用する請求項４の「該画像情報には、前記ビデオカメラから出力される動画像情報と、前記コンピュータ装置から送られる前記解析結果画面情報とが含まれ」との事項は、本件補正後の請求項１の「前記画像情報には、前記ビデオカメラから出力される動画像と、該動画像から作られる静止画像と、前記コンピュータ装置から送られる前記解析結果の表示画面の少なくとも何れか１つを特定可能な情報を含む一方、前記ビデオ画像表示用の処理指示語に含まれる参照情報として、前記内部メモリ上における所定アドレスのみを格納し、」との事項に補正され、これは、画像情報が動画像情報と解析結果画面情報とを含む仕組みを「前記ビデオカメラから出力される動画像と、該動画像から作られる静止画像と、前記コンピュータ装置から送られる前記解析結果の表示画面の少なくとも何れか１つを特定可能な情報を含む一方、前記ビデオ画像表示用の処理指示語に含まれる参照情報として、前記内部メモリ上における所定アドレスのみを格納し、」との事項により特定するものであるから、発明を特定するために必要な事項を限定して減縮するものである。
　
　また、本件補正により、本件補正前の請求項１を引用する請求項２を引用する請求項３を引用する請求項４の「前記分割画面は、前記画像表示用ウインドウを前記画面分割情報に基づいて分割することにより構成されるものであり、」との事項は削除されているが、当該削除は、本件補正後の請求項１の「該ウインドウ情報により特定された画像表示用ウインドウ上における画面の分割状態を特定可能とする画面分割情報」との事項が包摂する内容と重複する事項を削除したにすぎず、発明を特定するために必要な事項を実質的に補正するものではない。
　
　また、本件補正により、本件補正前の請求項１を引用する請求項２を引用する請求項３を引用する請求項４の「所定のメモリ領域」との事項は、本件補正後の請求項１の「前記内部メモリ上の所定のメモリ領域」との事項に補正され、これは、所定のメモリ領域を「前記内部メモリ上の所定のメモリ領域」との事項により特定して限定するものであるから、発明を特定するために必要な事項を限定して減縮するものである。
　
　また、本件補正により、本件補正前の請求項１を引用する請求項２を引用する請求項３を引用する請求項４の「前記画像表示用ウインドウに表示される前記画像情報中におけるビデオ画像を特定するビデオ画像番号」との事項は、本件補正後の請求項１の「所定のビデオ画像番号・・・（中略）・・・前記外部メモリ上に、前記ビデオ画像番号でその画像表示に必要な前記ビデオ表示情報を複数種類から１つに特定可能に前記画像ファイルを格納しておき、」との事項に補正され、これは、ビデオ画像番号を特定する事項を実質的に変更することなく、単に記載の順序を組み替えたにすぎないから、発明を特定するために必要な事項を実質的に補正するものではない。
　
　また、本件補正により、本件補正前の請求項１を引用する請求項２を引用する請求項３を引用する請求項４の「前記表示制御手段により処理指示語が解読されてビデオ画像の表示時期が検出されると、当該処理指示語から参照される前記データファイル内のビデオ表示に必要な情報は、前記参照データ格納手段に設定されたビデオ制御エリア上にビデオ表示情報として格納され、それ以後は、該ビデオ表示情報を利用してビデオ画像の表示動作が前記表示制御手段により前記分割画面上で行われる」との事項は、本件補正後の請求項１の「前記表示制御手段により前記事象データ格納手段中の処理指示語として前記ビデオ画像表示用の処理指示語が含まれている画面表示が行なわれる場合、初期化動作として前記システムファイル中の前記システム情報が前記参照データ格納手段に設定されたビデオ制御エリア上に格納され、更に、前記表示制御手段による前記処理指示語の解読時に前記コントロール情報に基づいてビデオ画像の表示時期が検出されると、前記画像ファイル中における前記ビデオ表示情報が前記ビデオ画像番号で特定されたあと前記ビデオ制御エリア上に格納され、それ以後は、該ビデオ表示情報を利用してビデオ画像の表示動作が前記表示制御手段により前記ウインドウの分割画面上で継続される」との事項に補正され、これは、ビデオ制御エリアへのビデオ表示情報の格納の仕方を「前記事象データ格納手段中の処理指示語として前記ビデオ画像表示用の処理指示語が含まれている画面表示が行なわれる場合、初期化動作として前記システムファイル中の前記システム情報が前記参照データ格納手段に設定されたビデオ制御エリア上に格納され、更に、前記表示制御手段による前記処理指示語の解読時に前記コントロール情報に基づいてビデオ画像の表示時期が検出されると、前記画像ファイル中における前記ビデオ表示情報が前記ビデオ画像番号で特定されたあと前記ビデオ制御エリア上に格納され」との事項により限定して特定すると共に、「前期分割画面」を「前記ウインドウの分割画面」との事項により限定して特定するものであるから、発明を特定するために必要な事項を限定して減縮するものである。
　
　また、本件補正後の請求項１の「前記コントロール情報に基づいてビデオ画像の表示停止時期が検出されると、前記画面上に開かれていた前記ウインドウが閉じられるもの」との事項は、コントロール情報であるウインドウ基本情報の変更に伴う動作を「前記コントロール情報に基づいてビデオ画像の表示停止時期が検出されると、前記画面上に開かれていた前記ウインドウが閉じられるもの」との事項により特定して限定するものであるから、発明を特定するために必要な事項を限定して減縮するものである。
　
　したがって、平成２２年　８月　４日付けの上記手続補正は、平成１８年法律第５５号改正附則第３条第１項によりなお従前の例によるとされる同法による改正前の特許法第１７条の２第４項第１号、第２号及び第４号にそれぞれ掲げられた特許請求の範囲の削除、特許請求の範囲の減縮及び明りょうでない記載の釈明を目的とするものである。
　
（４）独立特許要件
　
　本件補正後の請求項１に係る発明は、上記（３）で判断したとおり、特許法第１７条の２第４項第２号に掲げられた特許請求の範囲の減縮を目的として補正されたものであるから、本件補正後の請求項１に係る発明が特許出願の際、独立して特許を受けることができるものであるのかどうか（特許法第１７条の２第５項において準用する同法第１２６条第５項の規定に適合するか）について以下検討する。
　
（４−１）本願補正発明
　
　本件補正後の請求項１に係る発明（以下、「本願補正発明」という。）は、平成２２年　８月　４日付けの手続補正書の特許請求の範囲の請求項１に記載された事項により特定される前記（１）の「＜＜本件補正後の特許請求の範囲の記載＞＞」に記載したとおりのものである。
　
（４−２）引用文献に記載の発明
　
（引用文献１）
　
　当審により通知した拒絶の理由において提示した特開２０００−１４８３３１号公報（以下、「引用文献１」という。）には、図面と共に以下の記載がある。
　
（１ａ）「【００１３】
【発明の実施の形態】以下本発明を、図１〜図４に示すごとく、制御装置として備えた複数台のＰＬＣ１０を互いに連携させてターゲットシステム１２をシーケンス制御可能とする制御システムにおいて、各ＰＬＣ１０用の制御盤として使用するプログラム式の表示装置１４に実施した一例に基づいて説明するがこれに限らず、表示装置１４を単独で使用し、あるいは表示機能を備えた各種のパソコン応用装置に対しても略同様に実施できることは勿論である。
【００１４】表示装置１４は複数台あって、図２に示すように、各表示装置１４はネットワークライン１６を介してホストコンピュータ１８とＬＡＮ接続され、ホストコンピュータ１８との間で共通の通信プロトコルを用いて各種データの受け渡しを可能とする。
【００１５】更に、各表示装置１４毎に備えるメモリ容量を必要最小限に抑制する一方、表示装置１４を通じて取り込まれたデータはネットワークライン１６を介してホストコンピュータ１８に例えば一定時間間隔で自動的に、あるいは所定のコマンドを使用して手動で送られる様に設定することにより、ホストコンピュータ１８が全表示装置１４から送られるデータをデータベース化して一元的なデータ管理ができる様に構成すると同時に、各表示装置１４にあってもホストコンピュータ１８から必要なデータを適宜時期に取り出し、各表示装置１４における表示画面２６上に表示できる様に構成している。
【００１６】各表示装置１４は略同一の構成であって、専用の通信ライン２０を介してＰＬＣ１０と直接接続し、ＰＬＣ１０の機種に依存した通信プロトコルを用いてデータ通信可能とする一方、接続されたＰＬＣ１０でターゲットシステム１２をシーケンス制御可能とすることにより、そのＰＬＣ１０における制御盤として使用される。
【００１７】更に図３に例示する様に、略矩形状の本体ケース２２における正面側に例えば液晶表示デバイスをディスプレイ２４として使用した表示画面２６を配置するとともに、その表示画面２６に密着させてタッチパネル２８を配設する一方、本体ケース２２の内部に表示制御回路３０を収納することにより、表示画面２６上にＰＬＣ１０における制御状態に対応した表示を行うと同時に、タッチパネル２８を介した指先によるデータ入力およびＰＬＣ１０側の制御を可能とする。更に、タッチパネル２８を介した表示画面２６に対する指先による指示動作は、タッチパネルコントローラ２９によりその指示座標および指示時期が解析され、データ処理に使用される。
【００１８】表示制御回路３０は、図４に例示する様にパソコン装置と基本的に略同一であって、バスライン３２を介してＣＰＵ３４や各種のメモリ３６あるいはグラフィックコントローラ３８を接続し、ＣＰＵ３４によるデータ処理結果はグラフィックコントローラ３８を介してビデオＲＡＭ４０に展開されるとともに、対応する内容がディスプレイ２４の表示画面２６上に表示される。
【００１９】本実施例にあっては更に、ビデオカメラ４２をターゲットシステム１２における制御箇所の様な常時の監視を必要とする場所に対応させて配置するとともに、所定の映像処理回路４４を介して表示制御回路３０内にビデオカメラ４２から出力される映像信号４６を取り込むことにより、図１および図３に例示する如く、表示画面２６に開いた画像情報表示用画面４８の上で制御状態に対応した画像表示ができる様にしている。
【００２０】また、後記する処理指示語を用いてＰＬＣ１０における制御状態を常に監視しておき、例えばタンクレベルや温度が上限値を超える様な制御異常が発生した場合は勿論、通常の動作時にあっても設定条件を満足したことをＰＬＣ１０に接続されたセンサ５０が検知すると、その検知内容をメモリ３６上に順次に履歴情報として記憶する。更にまた、その履歴情報の発生時点に対応した画像を静止画像として取り込み、履歴情報に対応させてデータ記憶させている。
【００２１】ここで、上記した表示装置１４における表示制御動作に使用する処理指示語は、表示画面２６上でデータ処理すべき例えばタッチパネルを介したスイッチのオン操作あるいは数値や文字の画面表示の様な基本単位となるデータ処理機能の各々をタグ名で特定したものであって、１または複数の処理指示語を表示画面２６上に設定することによって、必要な機能動作を表示画面２６上で容易に実現可能とするものである。
【００２２】更に１台のプログラム式表示装置１４内には、上記の様にして構成した単位画面を複数枚そのデータ処理用として備えるとともに、各単位画面毎に異なったファイル番号を指定することにより、単位画面を切り換えるだけで必要な操作内容を表示した画面が得られる。
【００２３】一方、表示制御回路３０では、開かれた単位画面上に設定された処理指示語を所定の短時間毎に読みだして対応するデータ処理を行うことにより、必要なデータ処理動作が行われる様にしている。
【００２４】処理指示語の基本的な構成は略同一であって、表示制御動作を実行すべきベース画面のファイル番号と、そのベース画面上で実行すべき動作内容を特定するタグ名と、各実行事象毎に参照される１又は複数のデータからなる参照情報とを１組として備えている。
【００２５】更に、より高度な機能についても上記した基本となる複数の処理指示語を組み合わせることによって構成できるので、履歴情報表示やビデオ画像の表示の様な使用される頻度が大きい機能については、対応する処理指示語群が１つにまとめられて総括した処理指示語としたり、それ専用の処理指示語が規定されている。
【００２６】すなわち履歴情報表示用の処理指示語は、ベース画面上における処理指示語の設定位置に対応して、所定アドレス領域に格納した履歴情報を、１件につき１行ずつ一覧状態で表示可能とするものであって、更に各行を、押しボタンスイッチ５６を使用してカーソル５８の移動および確定動作をさせるか、あるいは指先による該当行の直接的なタッチ動作で特定可能とするとともに、その特定したデータに対して後記するような所定のデータ処理が連携して行われる様に構成している。
【００２７】この履歴情報表示用画面５２における各行に表示される内容は、図１に例示する如く、対応する事象の発生時点や、操作者の確認時あるいはシステムの復旧時を特定するデータ、発生した内容に対応するメッセージデータあるいはその時点での検出値の様に、検知履歴を一意的に特定可能とする情報が参照情報として選択できる様に予め設定されている。
【００２８】一方、履歴情報表示用画面５２上に一覧表示された各行を選択指示すると同時に行われるデータ処理内容としては、指定した概略データに対応する詳細な文字情報と、その概略データが発生した時点における静止画像情報とが含まれ、文字情報は詳細情報表示用画面５４の上に、静止画像情報は画像情報表示用画面４８の上に処理指示語を利用して各々表示される。
【００２９】画像表示用の処理指示語は、予め設定した座標上に画像情報表示用画面４８を開き、参照情報として設定したアドレスに書き込まれたファイル番号に対応した画像を表示可能とするものである。更に、設定アドレスに書き込まれるファイル番号が例えば設定範囲を超える値の場合はビデオカメラ４２から送られる動画像を直接表示するが、設定範囲内のファイル番号にあってはファイル番号で特定される静止画像が表示される様に設定されている。
【００３０】したがって、上記した履歴情報表示用の処理指示語において特定行のデータ指定に対応して実施されるデータ処理内容を、例えば画像情報表示用の処理指示語における設定アドレスにデータを書き込むものとすることにより、履歴情報の選択動作と連動して、動画像の表示に代えて、指定された概略情報に対応した内容の静止画像が画像情報表示用画面４８上に選択表示される。
【００３１】また詳細情報表示用の処理指示語は、予め設定した座標上に詳細情報表示用画面５４を開き、参照情報として設定したファイル番号に対応したテキストファイルを詳細情報表示用画面５４の上に表示可能とするものである。このファイル番号を、履歴情報におけるメッセージ内容と一意的に対応させるとともに、そのファイル番号で特定されるテキストの内容として、異常発生の原因や対処方法のような詳細な情報を含めてある。
【００３２】本実施例にあっては更に、履歴情報の取得段階を例えば第１乃至第３の３段階に分けるとともに、第１段階は正常動作中の段階を、第２段階はシステムを停止するほどではないが異常になる可能性をはらんだ段階と規定する一方、第３段階はそれを放置すると問題になる限界を超えた段階と規定し、ターゲットシステム１２中におけるセンサ５０による検出値に対して、各段階を区別するための限界値を設定する。
【００３３】ここで上記した第１段階にあっては、例えばシステムの始動時や終了時あるいは動作条件を変化させた場合の様に特別なイベントが発生した時点に対応して、予め設定した必要最小限のデータを収集するとともに、その時点における画像を静止画像として取り込むとともに、データ取得時点の時刻あるいは数値データと関連づけて記録する。
【００３４】更に検出値が第２段階に入った場合には、第１段階よりも短い時間間隔で一定時間毎に、あるいは測定値の増加あるいは減少割合が設定値を超えた場合の様な設定タイミングで数値データを取り込むとともに、その各時点における静止画像が取り込まれる。
【００３５】測定値が異常を示す値を超えて第３段階になったことが判定されると、その前後で予め設定した時間範囲における数値データと静止画像データとが保存されるとともに、システムを緊急停止する一方、表示画面２６は履歴情報表示用の単位画面へと強制的に切り換えられる。
【００３６】この履歴情報表示用の単位画面にあっては、上記した異常検知動作中に記録された第３段階の記録データと、選択により必要に応じて第２あるいは第１段階の記録データが、履歴情報表示用画面５２の上で１件のデータにつき１行または数行の表示により一覧表示が行われる。
【００３７】それと同時に、ブザーなどによる聴覚に訴えた表示や、ランプの点滅による視覚に訴えた表示がなされるとともに、ビデオカメラ４２から送られるの画像が画像情報表示用画面４８に自動的に表示され、異常が発生している現場における現在の状況がリアルタイムに表示される。この画像は、表示画面２６上での指示によって遠隔操作され、その周囲における任意個所の状況がアップや望遠で映し出される。
【００３８】更に、タッチパネル２８を介して一覧表示された個別のデータを指定すると、そのデータの採取時に同時に記録された静止画像が画像情報表示用画面４８上に表示されるとともに、異常に対する対処法や詳細な異常の原因内容が詳細情報表示用画面５４上に表示され、異常に至る状況が履歴情報として確認できるばかりでなく、画像や詳細な説明を用いて直感的に確認できるのである。
【００３９】なお上記した実施例にあっては、表示画面２６が比較的大きい場合を想定して、１つの画面を複数に分割して履歴情報と詳細情報とを同時に表示する例を示したがそれに限らず、各表示画面２６を全面に表示しながら切り替え表示を可能としたり、互いに重畳させて表示することもできる。
【００４０】また、履歴情報表示用の処理指示語における参照情報としては、履歴情報表示画面５２上における概略データの表示行数、表示間隔、カーソルの有無および形状、１行に表示される項目、概略情報を指示する方法、概略情報を選択時に詳細情報表示画面５４上に表示されるデータの格納アドレスや格納方法など、適宜にその参照される内容を増減して実施できる。」
　
　したがって、上記の全ての摘記事項及び図面の記載を参酌すると、引用文献１には、以下の構成が記載されているといえる。
　
（ア）上記摘記事項（１ａ）の「【００１３】【発明の実施の形態】以下本発明を、図１〜図４に示すごとく、制御装置として備えた複数台のＰＬＣ１０を互いに連携させてターゲットシステム１２をシーケンス制御可能とする制御システムにおいて、各ＰＬＣ１０用の制御盤として使用するプログラム式の表示装置１４に実施した一例に基づいて説明するがこれに限らず、表示装置１４を単独で使用し、あるいは表示機能を備えた各種のパソコン応用装置に対しても略同様に実施できることは勿論である。【００１４】表示装置１４は複数台あって、図２に示すように、各表示装置１４はネットワークライン１６を介してホストコンピュータ１８とＬＡＮ接続され、ホストコンピュータ１８との間で共通の通信プロトコルを用いて各種データの受け渡しを可能とする。」の記載並びに引用文献１の【図２】及び【図４】の記載によれば、当該「制御システム」では、当該「ターゲットシステム」を制御可能とする当該「ＰＬＣ」と、当該「ビデオカメラ」と、当該「ホストコンピュータ」が外部装置として当該「プログラム式表示装置」に接続されており、当該「プログラム式表示装置」が当該外部装置として接続されている「ビデオカメラ」から出力されるデータに対応した画像表示動作を行うことは明らかである。
　
　したがって、上記摘記事項（１ａ）によれば、引用文献１には、「ターゲットシステムを制御可能とするＰＬＣと、ビデオカメラと、ホストコンピュータとを外部装置としてプログラム式表示装置に接続し、前記外部装置から出力されるデータに対応した画像表示動作を前記プログラム式表示装置におけるディスプレイの画面上で可能とする制御システム」が記載されているといえる。
　
（イ）上記摘記事項（１ａ）の「【００１５】更に、各表示装置１４毎に備えるメモリ容量を必要最小限に抑制する一方、表示装置１４を通じて取り込まれたデータはネットワークライン１６を介してホストコンピュータ１８に例えば一定時間間隔で自動的に、あるいは所定のコマンドを使用して手動で送られる様に設定することにより、ホストコンピュータ１８が全表示装置１４から送られるデータをデータベース化して一元的なデータ管理ができる様に構成すると同時に、各表示装置１４にあってもホストコンピュータ１８から必要なデータを適宜時期に取り出し、各表示装置１４における表示画面２６上に表示できる様に構成している。」の記載によれば、当該「ホストコンピュータ」が、上記（ア）の「プログラム式表示装置」である当該「各表示装置」を「通じて」、「一定時間間隔で自動的に、あるいは所定のコマンドを使用して手動で」、すなわちリアルタイムあるいは適宜時期に、「データ」を収集し、「データベース化」してデータ管理するとともに、「必要なデータ」を表示するために当該「各表示装置」に配信可能とするものであることは明らかである。
　
　また、引用文献１の【図２】及び【図４】の記載からみて、上記「プログラム式表示装置」は、上記「ホストコンピュータ」と上記「ＰＬＣ」との間に介在するものであるから、上記「プログラム式表示装置」を「通じて」収集される「データ」は、「ＰＬＣ」のメモリユニット内から送られてくるものと解することができる。
　
　したがって、上記（ア）、上記摘記事項（１ａ）によれば、引用文献１には、「前記ホストコンピュータは、前記プログラム式表示装置を介して前記ＰＬＣのメモリユニット内から、リアルタイムあるいは適宜時期に、データを収集し、その収集したデータを所定のデータ処理手段を使用してデータベース化してデータ管理するとともに、必要なデータを前記プログラム式表示装置側に配信可能とするものである」ことが記載されているといえる。
　
（ウ）上記摘記事項（１ａ）の「【００１８】表示制御回路３０は、図４に例示する様にパソコン装置と基本的に略同一であって、バスライン３２を介してＣＰＵ３４や各種のメモリ３６あるいはグラフィックコントローラ３８を接続し、ＣＰＵ３４によるデータ処理結果はグラフィックコントローラ３８を介してビデオＲＡＭ４０に展開されるとともに、対応する内容がディスプレイ２４の表示画面２６上に表示される。【００１９】本実施例にあっては更に、ビデオカメラ４２をターゲットシステム１２における制御箇所の様な常時の監視を必要とする場所に対応させて配置するとともに、所定の映像処理回路４４を介して表示制御回路３０内にビデオカメラ４２から出力される映像信号４６を取り込むことにより、図１および図３に例示する如く、表示画面２６に開いた画像情報表示用画面４８の上で制御状態に対応した画像表示ができる様にしている。・・・（中略）・・・【００２９】画像表示用の処理指示語は、予め設定した座標上に画像情報表示用画面４８を開き、参照情報として設定したアドレスに書き込まれたファイル番号に対応した画像を表示可能とするものである。」の記載によれば、上記（ア）の「プログラム式表示装置」は、当該「ビデオＲＡＭ」上の当該「映像信号」の「画像」と、当該「画像」を特定するための「ファイル番号」を当該「表示制御回路」で参照しながら画像表示動作を行うものと解することができる。
　
　したがって、上記（ア）及び上記摘記事項（１ａ）によれば、引用文献１には、「該プログラム式表示装置は、ビデオＲＡＭ上の映像信号の画像とこれを特定するためのファイル番号を表示制御回路で参照しながら前記画面上で画像表示動作を行うものである」ことが記載されているといえる。
　
（エ）上記摘記事項（１ａ）の「【００２４】処理指示語の基本的な構成は略同一であって、表示制御動作を実行すべきベース画面のファイル番号と、そのベース画面上で実行すべき動作内容を特定するタグ名と、各実行事象毎に参照される１又は複数のデータからなる参照情報とを１組として備えている。【００２５】更に、より高度な機能についても上記した基本となる複数の処理指示語を組み合わせることによって構成できるので、履歴情報表示やビデオ画像の表示の様な使用される頻度が大きい機能については、対応する処理指示語群が１つにまとめられて総括した処理指示語としたり、それ専用の処理指示語が規定されている。」の記載によれば、当該「複数の処理指示語」は、当該「各実行事象毎に参照」される「参照情報」を備え、当該「処理指示語群」を構成するものと解することができる。
　
　そして、上記「処理指示語」が、ＣＰＵが解釈する命令であることは明らかであり、しかも当該「処理指示語」が備える上記「参照情報」や「ファイル番号」や「ベース画面上で実行すべき動作内容」は変更されうるものであるから、当該「処理指示語」は引用文献１の【図４】に記載の「ＲＡＭ」上の記憶領域に記憶されているものと解することができる。
　
　したがって、上記摘記事項（１ａ）によれば、引用文献１には、「前記ＲＡＭ上には、各実行事象毎に参照される参照情報を備えた複数の処理指示語を、処理指示語群として記憶する記憶領域を備え」ることが記載されているといえる。
　
（オ）上記摘記事項（１ａ）の「【００２３】一方、表示制御回路３０では、開かれた単位画面上に設定された処理指示語を所定の短時間毎に読みだして対応するデータ処理を行うことにより、必要なデータ処理動作が行われる様にしている。」の記載によれば、当該「表示制御回路」では、上記（エ）の記憶領域に記憶された「処理指示語」を「所定」の「時間毎に読み出して」、画像表示動作を画面上で行わせるものと解することができる。
　
　また、上記摘記事項（１ａ）の「【００２９】画像表示用の処理指示語は、予め設定した座標上に画像情報表示用画面４８を開き、参照情報として設定したアドレスに書き込まれたファイル番号に対応した画像を表示可能とするものである。更に、設定アドレスに書き込まれるファイル番号が例えば設定範囲を超える値の場合はビデオカメラ４２から送られる動画像を直接表示するが、設定範囲内のファイル番号にあってはファイル番号で特定される静止画像が表示される様に設定されている。」の記載によれば、上記画像表示動作は、当該「参照情報」である「ファイル番号」に基づいて間接的に特定されたデータである「動画像」や「静止画像」を参照するものと解することができる。
　
　したがって、上記摘記事項（１ａ）によれば、引用文献１には、「前記表示制御回路では、該記憶領域に記憶された処理指示語を所定の時間毎に読み出して、各処理指示語の参照情報に基づいて間接的に特定される各種データを参照しながら、その読み出した内容に対応した画像表示動作を前記画面上で行わせるものである」ことが記載されているといえる。
　
（カ）上記（ウ）の「ビデオＲＡＭ」は、「表示制御回路」によって参照される「映像信号」を記憶するための記憶領域を備えていることは明らかである。
　
　また上記（エ）の「ＲＡＭ」上の「記憶領域」には、「処理指示語」が記憶されており、当該「処理指示語」は、上記（オ）の「ファイル番号」を備えているから、当該「ファイル番号」もまた、当該「ＲＡＭ」上の「記憶領域」に記憶されているものと解することができる。
　
　したがって、上記（ウ）、上記（エ）及び上記（オ）によれば、引用文献１には、「前記ビデオＲＡＭ及びＲＡＭ上には、画像表示用の処理指示語の表示制御回路による解読時に、表示制御回路によって参照される映像信号とこれを特定するためのファイル番号とを記憶するための記憶領域を備え」ることが記載されているといえる。
　
（キ）上記摘記事項（１ａ）の「【００２５】更に、より高度な機能についても上記した基本となる複数の処理指示語を組み合わせることによって構成できるので、履歴情報表示やビデオ画像の表示の様な使用される頻度が大きい機能については、対応する処理指示語群が１つにまとめられて総括した処理指示語としたり、それ専用の処理指示語が規定されている。」の記載によれば、当該「処理指示語」は、「ビデオ画像の表示」を行うための「専用の処理指示語」を備えるものと解することができる。
　
　したがって、上記摘記事項（１ａ）によれば、引用文献１には、「前記処理指示語として、ビデオカメラから送られてきた動画像を前記画面上で表示可能とする画像表示用の処理指示語を備え」ることが記載されているといえる。
　
（ク）上記摘記事項（１ａ）の「【００２９】画像表示用の処理指示語は、予め設定した座標上に画像情報表示用画面４８を開き、参照情報として設定したアドレスに書き込まれたファイル番号に対応した画像を表示可能とするものである。更に、設定アドレスに書き込まれるファイル番号が例えば設定範囲を超える値の場合はビデオカメラ４２から送られる動画像を直接表示するが、設定範囲内のファイル番号にあってはファイル番号で特定される静止画像が表示される様に設定されている。」の記載によれば、当該「処理指示語」が含む「アドレス」で示されるメモリ上には、当該「ビデオカメラ」から出力される「動画像」と、当該「静止画像」の少なくとも何れか１つを特定可能な「ファイル番号」を含むものと解することができる。
　
　また、上記摘記事項（１ａ）の「【００１９】本実施例にあっては更に、ビデオカメラ４２をターゲットシステム１２における制御箇所の様な常時の監視を必要とする場所に対応させて配置するとともに、所定の映像処理回路４４を介して表示制御回路３０内にビデオカメラ４２から出力される映像信号４６を取り込むことにより、図１および図３に例示する如く、表示画面２６に開いた画像情報表示用画面４８の上で制御状態に対応した画像表示ができる様にしている。【００２０】また、後記する処理指示語を用いてＰＬＣ１０における制御状態を常に監視しておき、例えばタンクレベルや温度が上限値を超える様な制御異常が発生した場合は勿論、通常の動作時にあっても設定条件を満足したことをＰＬＣ１０に接続されたセンサ５０が検知すると、その検知内容をメモリ３６上に順次に履歴情報として記憶する。更にまた、その履歴情報の発生時点に対応した画像を静止画像として取り込み、履歴情報に対応させてデータ記憶させている。」の記載によれば、当該「静止画像」は、上記「ビデオカメラ」の「動画像」から作られるものと解することができる。
　
　したがって、上記摘記事項（１ａ）によれば、引用文献１には、「前記処理指示語が含むアドレスで示されるメモリ上には、前記ビデオカメラから出力される動画像と、該動画像から作られる静止画像の少なくとも何れか１つを特定可能なファイル番号を含む」ことが記載されているといえる。
　
（ケ）上記摘記事項（１ａ）の「【００２９】画像表示用の処理指示語は、予め設定した座標上に画像情報表示用画面４８を開き、参照情報として設定したアドレスに書き込まれたファイル番号に対応した画像を表示可能とするものである。更に、設定アドレスに書き込まれるファイル番号が例えば設定範囲を超える値の場合はビデオカメラ４２から送られる動画像を直接表示するが、設定範囲内のファイル番号にあってはファイル番号で特定される静止画像が表示される様に設定されている。」の記載によれば、ビデオ画像表示用の処理指示語である当該「画像表示用の処理指示語」に含まれる当該「参照情報」として、所定アドレスである当該「設定したアドレス」のみが格納されているものと解することができる。
　
　したがって、上記摘記事項（１ａ）によれば、引用文献１には、「ビデオ画像表示用の処理指示語に含まれる参照情報として、前記所定アドレスのみを格納し」が記載されているといえる。
　
（コ）上記摘記事項（１ａ）の「【００２９】画像表示用の処理指示語は、予め設定した座標上に画像情報表示用画面４８を開き、参照情報として設定したアドレスに書き込まれたファイル番号に対応した画像を表示可能とするものである。更に、設定アドレスに書き込まれるファイル番号が例えば設定範囲を超える値の場合はビデオカメラ４２から送られる動画像を直接表示するが、設定範囲内のファイル番号にあってはファイル番号で特定される静止画像が表示される様に設定されている。」の記載によれば、上記（ケ）の「所定アドレス」で特定される所定のメモリ領域には、所定のファイル番号である当該「設定アドレスに書き込まれるファイル番号」を格納するものと解することができる。
　
　したがって、上記摘記事項（１ａ）によれば、引用文献１には、「前記アドレスで特定される所定のメモリ領域には、所定のファイル番号を格納する」ことが記載されているといえる。
　
（サ）上記摘記事項（１ａ）の「【００３２】本実施例にあっては更に、履歴情報の取得段階を例えば第１乃至第３の３段階に分けるとともに、第１段階は正常動作中の段階を、第２段階はシステムを停止するほどではないが異常になる可能性をはらんだ段階と規定する一方、第３段階はそれを放置すると問題になる限界を超えた段階と規定し、ターゲットシステム１２中におけるセンサ５０による検出値に対して、各段階を区別するための限界値を設定する。・・・（中略）・・・【００３５】測定値が異常を示す値を超えて第３段階になったことが判定されると、その前後で予め設定した時間範囲における数値データと静止画像データとが保存されるとともに、システムを緊急停止する一方、表示画面２６は履歴情報表示用の単位画面へと強制的に切り換えられる。・・・（中略）・・・【００３７】それと同時に、ブザーなどによる聴覚に訴えた表示や、ランプの点滅による視覚に訴えた表示がなされるとともに、ビデオカメラ４２から送られるの画像が画像情報表示用画面４８に自動的に表示され、異常が発生している現場における現在の状況がリアルタイムに表示される。この画像は、表示画面２６上での指示によって遠隔操作され、その周囲における任意個所の状況がアップや望遠で映し出される。」の記載によれば、履歴情報に基づく動画像の表示では、当該「測定値」の「異常」に基づいてビデオ画像である当該「ビデオカメラ４２から送られる画像」（引用文献１の上記「送られるの画像」は、「送られる画像」の明らかな誤記として上記のように認定した。）の表示に「強制的に切り換える」判定が検出されると、当該ビデオ画像が当該「画像情報表示用画面」の「画面上」で「自動的に表示され」て継続されるものと解することができる。
　
　また、上記摘記事項（１ａ）の【００２９】画像表示用の処理指示語は、予め設定した座標上に画像情報表示用画面４８を開き、参照情報として設定したアドレスに書き込まれたファイル番号に対応した画像を表示可能とするものである。更に、設定アドレスに書き込まれるファイル番号が例えば設定範囲を超える値の場合はビデオカメラ４２から送られる動画像を直接表示するが、設定範囲内のファイル番号にあってはファイル番号で特定される静止画像が表示される様に設定されている。」の記載によれば、上記履歴情報に基づく動画像の表示では、上記（オ）の「表示制御回路」による「処理指示語」の「読み出し」時に、当該「ファイル番号」を「書き込む」ことにより、当該「ファイル番号」で特定されたビデオ画像である当該「動画像」の表示動作が行われるものと解することができる。
　
　したがって、上記（オ）、上記（カ）及び上記摘記事項（１ａ）によれば、引用文献１には、「前記表示制御手段による前記処理指示語の読み出し時に、測定値の異常に基づいてビデオ画像の表示に強制的に切り換える判定が検出されると、前記ファイル番号で特定されたビデオ画像の表示動作が前記表示制御手段により画像情報表示用画面の画面上で継続されること」が記載されているといえる。
　
　よって、上記（ア）乃至（サ）によれば、引用文献１には、以下の発明（以下、「引用文献１発明」という。）が記載されているといえる。
　
「（ア）ターゲットシステムを制御可能とするＰＬＣと、ビデオカメラと、ホストコンピュータとを外部装置としてプログラム式表示装置に接続し、前記外部装置から出力されるデータに対応した画像表示動作を前記プログラム式表示装置におけるディスプレイの画面上で可能とする制御システムにおいて、
（イ）前記ホストコンピュータは、
　前記プログラム式表示装置を介して前記ＰＬＣのメモリユニット内から、リアルタイムあるいは適宜時期に、データを収集し、その収集したデータを所定のデータ処理手段を使用してデータベース化してデータ管理するとともに、必要なデータを前記プログラム式表示装置側に配信可能とするものであり、
（ウ）該プログラム式表示装置は、ビデオＲＡＭ上の映像信号の画像とこれを特定するためのファイル番号を表示制御回路で参照しながら前記画面上で画像表示動作を行うものであって、
（エ）前記ＲＡＭ上には、各実行事象毎に参照される参照情報を備えた複数の処理指示語を、処理指示語群として記憶する記憶領域を備え、
（オ）前記表示制御回路では、該記憶領域に記憶された処理指示語を所定の時間毎に読み出して、各処理指示語の参照情報に基づいて直接的または間接的に特定される各種データを参照しながら、その読み出した内容に対応した画像表示動作を前記画面上で行わせるものであり、更に、
（カ）前記ビデオＲＡＭ及びＲＡＭ上には、画像表示用の処理指示語の表示制御回路による解読時に、表示制御回路によって参照される映像信号とこれを特定するためのファイル番号とを記憶するための記憶領域を備え、
（キ）前記処理指示語として、ビデオカメラから送られてきた動画像を前記画面上で表示可能とする画像表示用の処理指示語を備え、
（ク）前記処理指示語が含むアドレスで示されるメモリ上には、前記ビデオカメラから出力される動画像と、該動画像から作られる静止画像の少なくとも何れか１つを特定可能なファイル番号を含む一方、
（ケ）ビデオ画像表示用の処理指示語に含まれる参照情報として、前記所定アドレスのみを格納し、
（コ）前記アドレスで特定される所定のメモリ領域には、所定のファイル番号を格納し、
（サ）前記表示制御手段による前記処理指示語の読み出し時に、測定値の異常に基づいてビデオ画像の表示に強制的に切り換える判定が検出されると、前記ファイル番号で特定されたビデオ画像の表示動作が前記表示制御手段により画像情報表示用画面の画面上で継続されることを特徴とする制御システム。」
　
（引用文献２）
　
　当審により通知した拒絶の理由において提示した特開平１１−８５１３６号公報（以下、「引用文献２」という。）には、図面と共に以下の記載がある。
　
（２ａ）「【０００５】
【発明の実施の形態】以下、本発明の形態について図面を参照しながら具体的に説明する。図１は、本発明の実施例の画像処理装置である。図１に示す１は、コンピュータであり、ＣＰＵ１０、ビデオＲＡＭ１１、インターフェース装置１３、内部メモリ１７ななどで構成されている。１０は、外部記憶装置１６のデータを内部メモリ１７に移したり、内部メモリ１７のデータをもとに表示するデータをビデオＲＡＭ１１に送ったり、キーボード１４やマウス１５からの入力を取り込み、本画像処理装置の全体の動作を司る。１１はビデオＲＡＭであり、この中に書き込まれたデータが表示装置１２において表示される。１２は、表示装置であり、陰極線管などの表示対象の画像を人間が目視できる形で表示できるものである。１３は、インターフェース装置であり、キーボード１４やマウス１５からの信号をＣＰＵ１０が、認識できるデータに変換するものである。１４は、キーボードでり、複数のスイッチにより情報の入力を行う。１５は、マウスであり、画面上の座標を指定することにより、区画４１を選択する。画像のスクロール方向及びスクロール速度などのスクロール条件を入力する。１６は、外部記憶装置であり、コンピュータ１が読み取り可能な記録媒体である。１７は、内部メモリであり、コンピュータ１の内部でデータを保持するためのものである。内部メモリ１７は、コンピュータ１の処理手段を記憶するプログラム領域１７ａと、処理の対象となるデータを記憶するデータ領域１７ｂで構成されている。
【０００６】図２は、本発明の実施例の外部記憶装置のファイル構成図である。図２に示す２０は、画像データであり、表示装置１２に表示する画像に関するデータが納められている。２１は、既定画面分割データファイルであり、表示画面４０を複数の区画４１に分割するためのデータが納められている。既定とは、本装置の作成者があらかじめ設計したものであり、本装置の操作者が最初に作成した物ではないことを、意味している。２２は、既定重み付けデータファイルであり、区画４１のひとつひとつにおける、スクロール方向及びスクロール速度などのスクロール条件に関するデータが納められている。２３は、ユーザー定義画面分割データファイルであり、表示画面４０を複数の区画４１に分割するためのデータが納められている。ユーザー定義とは、本装置の操作者が作成したことを意味している。２４は、ユーザー定義重み付けデータファイルであり、区画４１のひとつひとつにおける、スクロール方向及びスクロール速度などのスクロール条件に関するデータが納められている。」
　
　したがって、上記の全ての摘記事項及び図面の記載を参酌すると、引用文献２には、以下の構成が記載されているといえる。
　
（シ）上記摘記事項（２ａ）の記載によれば、表示制御手段である「コンピュータ」の「ＣＰＵ」によって参照される情報である「画像データ」や「既定画面分割データファイル」等を含むデータファイルである「画像に関するデータ」を記憶するための外部メモリである「外部記憶装置」と、「内部メモリ」上にあって、表示制御手段による画像表示動作時に該表示手段により参照される「データ」を格納する参照データ格納手段とを備えた表示装置である「画像処理装置」が開示されているといえる。
　
　よって、上記（シ）によれば、引用文献２には、以下の記載事項（以下、「引用文献２の記載事項」という。）が記載されているといえる。
　
「　表示制御手段によって参照される情報を含むデータファイルを記憶するための外部メモリと、内部メモリ上にあって、表示制御手段による画像表示動作時に該表示制御手段により参照されるデータを格納する参照データ格納手段とを備えた表示装置。」
　
（４−３）本願補正発明と引用文献１発明との対比
　
　本願補正発明と引用文献１発明とを対比する。
　
　引用文献１発明の「ターゲットシステム」、「ＰＬＣ」、「ビデオカメラ」、「外部装置」、「ディスプレイ」及び「制御システム」は、本願補正発明の「ターゲットシステム」、「ＰＬＣ」、「ビデオカメラ」、「外部装置」、「ディスプレイ」及び「制御システム」にそれぞれ対応する。
　
　また、引用文献１発明の「プログラム式表示装置」は、本願補正発明の「表示装置」に相当する。
　
　また、引用文献１発明の「ホストコンピュータ」は、本願補正発明の「コンピュータ装置」に相当する。
　
　また、引用文献１発明の「ファイル番号」は、ビデオ画像を特定する情報であるから、本願補正発明の「ビデオ画像番号」に相当する。
　
　また、引用文献１発明の「画像情報表示用画面」は、ビデオ画像の内容を表示する矩形領域であるから、本願補正発明の「ウインドウ」に相当する。
　
　また、引用文献１発明の「ターゲットシステムを制御可能とするＰＬＣと、ビデオカメラと、ホストコンピュータとを外部装置としてプログラム式表示装置に接続し、前記外部装置から出力されるデータに対応した画像表示動作を前記プログラム式表示装置におけるディスプレイの画面上で可能とする制御システムにおいて」は、本願補正発明の「ターゲットシステムを制御可能とするＰＬＣと、ビデオカメラと、コンピュータ装置とを外部装置として表示装置に接続し、前記外部装置から出力されるデータに対応した画像表示動作を前記表示装置におけるディスプレイの画面上で可能とする制御システムにおいて」に相当する。
　
　また、引用文献１発明の「前記ＲＡＭ上には、各実行事象毎に参照される参照情報を備えた複数の処理指示語を、処理指示語群として記憶する記憶領域を備え」は、当該「ＲＡＭ」が、通常、内部メモリとして備わるものであるから、本願補正発明の「前記内部メモリ上には、実行すべき個別の動作内容を特定する参照情報を備えた複数の処理指示語を、表示処理すべき一連の動作内容に対応させて格納するための事象データ格納手段を備え」に相当する。
　
　また、引用文献１発明の「前記表示制御回路では、該記憶領域に記憶された処理指示語を所定の時間毎に読み出して、各処理指示語の参照情報に基づいて間接的に特定される各種データを参照しながら、その読み出した内容に対応した画像表示動作を前記画面上で行わせるものであり」は、本願補正発明の「前記表示制御手段では、前記事象データ格納手段に格納された処理指示語を順次に解読し、各処理指示語の参照情報に基づいて間接的に特定される各種データを参照しながら、その解読内容に対応した画像表示動作を前記画面上で可能とし」に相当する。
　
　また、引用文献１発明の「前記ビデオＲＡＭ及びＲＡＭ上には、画像表示用の処理指示語の表示制御回路による解読時に、表示制御回路によって参照される映像信号とこれを特定するためのファイル番号とを記憶するための記憶領域を備え」は、当該「ビデオＲＡＭ及びＲＡＭ」が、通常、内部メモリとして備えあるものであるから、本願補正発明の「前記内部メモリ上には、前記表示制御手段による画像表示動作時に該表示制御手段により参照されるデータを格納する参照データ格納手段を備え」に相当する。
　
　また、引用文献１発明の「前記処理指示語として、ビデオカメラから送られてきた動画像を前記画面上で表示可能とする画像表示用の処理指示語を備え」は、本願補正発明の「前記処理指示語として、ビデオ画像を前記画面上で表示可能とするビデオ画像表示用の処理指示語を備え」に相当する。
　
　また、引用文献１発明の「ビデオ画像表示用の処理指示語に含まれる参照情報として、前記所定アドレスのみを格納し」は、当該「所定アドレス」の「格納」は内部メモリ上で行われることが通常であるから、本願補正発明の「前記ビデオ画像表示用の処理指示語に含まれる参照情報として、前記内部メモリ上における所定アドレスのみを格納し」に相当する。
　
　そして、本願補正発明の「前記コンピュータ装置は、前記表示装置を介して前記ＰＬＣのメモリユニット内から適宜時期にデータを収集可能とする一方、その収集したデータを所定のデータ処理手段を使用してリアルタイムあるいは適宜時期にデータ解析可能とするとともに、その解析結果の表示画面に関するデータを前記表示装置側に配信可能とするものであり」と、引用文献１発明の「前記ホストコンピュータは、前記プログラム式表示装置を介して前記ＰＬＣのメモリユニット内から、リアルタイムあるいは適宜時期に、データを収集し、その収集したデータを所定のデータ処理手段を使用してデータベース化してデータ管理するとともに、必要なデータを前記プログラム式表示装置側に配信可能とするものであり」とは、後記の点で相違するものの、当該「データベース化してデータ管理する」ことは、データの処理の一種であるから、共に「前記コンピュータ装置は、前記表示装置を介して前記ＰＬＣのメモリユニット内から適宜時期にデータを収集可能とする一方、その収集したデータを所定のデータ処理手段を使用してリアルタイムあるいは適宜時期にデータを処理するとともに、表示画面に関するデータを前記表示装置側に配信可能とするものであり」という点で共通する。
　
　また、本願補正発明の「前記表示装置は、外部メモリに記憶されたデータファイルを内部メモリに読み込み、該内部メモリに読み込まれたデータを表示制御手段で参照しながら前記画面上で画像表示動作を行うものであって」と引用文献１発明の「該プログラム式表示装置は、ビデオＲＡＭ上の映像信号の画像とこれを特定するためのファイル番号を表示制御回路で参照しながら前記画面上で画像表示動作を行うものであって」とは、後記の点で相違するものの、当該ビデオＲＡＭが、通常、内部メモリとして備わるものであり、当該「ビデオＲＡＭ上の映像信号とこれを特定するためのファイル番号」がメモリに記憶された１組のデータファイルといえるから、共に「前記表示装置は、メモリ上のデータを表示制御手段で参照しながら前記画面上で画像表示動作を行うものであって」という点で共通する。
　
　また、本願補正発明の「前記画像情報には、前記ビデオカメラから出力される動画像と、該動画像から作られる静止画像と、前記コンピュータ装置から送られる前記解析結果の表示画面の少なくとも何れか１つを特定可能な情報を含む一方」と引用文献１発明の「処理指示語が含むアドレスで示されるメモリ上には、前記ビデオカメラから出力される動画像と、該動画像から作られる静止画像の少なくとも何れか１つを特定可能なファイル番号を含む一方」とは、後記の点で相違するものの、共に「前記表示装置は、表示前記ビデオカメラから出力される動画像と、該動画像から作られる静止画像の少なくとも何れか１つを特定可能な情報を備え」る点で共通する。
　
　また、本願補正発明の「該アドレスで特定される前記内部メモリ上の所定のメモリ領域には、前記画像表示用ウインドウの表示時期を規定するコントロール情報と、前記ベース画面上における前記画像表示用ウインドウの前記表示座標と、所定のビデオ画像番号とをウインドウ基本情報として格納し」と引用文献１発明の「前記アドレスで特定される所定のメモリ領域には、所定のファイル番号を格納し」とは、後記の点で相違するものの、当該「ファイル番号」はこれに基づいてウインドウへ画像を表示するものであるから、共に「該アドレスで特定される前記内部メモリ上の所定のメモリ領域には、所定のビデオ画像番号をウインドウ基本情報として格納し」という点で共通する。
　
　また、本願補正発明の「前記表示制御手段による前記処理指示語の解読時に前記コントロール情報に基づいてビデオ画像の表示時期が検出されると、前記画像ファイル中における前記ビデオ表示情報が前記ビデオ画像番号で特定されたあと前記ビデオ制御エリア上に格納され、それ以後は、該ビデオ表示情報を利用してビデオ画像の表示動作が前記表示制御手段により前記ウインドウの分割画面上で継続される」と引用文献１発明の「前記表示制御手段による前記処理指示語の読み出し時に、測定値の異常に基づいてビデオ画像の表示に強制的に切り換える判定が検出されると、前記ファイル番号で特定されたビデオ画像の表示動作が前記表示制御手段により画像情報表示用画面の画面上で継続される」とは、後記の点で相違するものの、当該「判定」の結果はビデオ画像の表示時期を制御する情報といえるから、共に「前記表示制御手段による前記処理指示語の解読時に画像表示用ウインドウの表示時期を規定するコントロール情報に基づいてビデオ画像の表示時期が検出されると、前記ビデオ表示情報が前記ビデオ画像番号で特定され、前記ビデオ画像番号で特定されたあと、該ビデオ表示情報を利用してビデオ画像の表示動作が前記表示制御手段により前記ウインドウの画面上で継続される」点で共通する。
　
　したがって、両者は、
　
「　ターゲットシステムを制御可能とするＰＬＣと、ビデオカメラと、コンピュータ装置とを外部装置として表示装置に接続し、前記外部装置から出力されるデータに対応した画像表示動作を前記表示装置におけるディスプレイの画面上で可能とする制御システムにおいて、
　前記コンピュータ装置は、前記表示装置を介して前記ＰＬＣのメモリユニット内から適宜時期にデータを収集可能とする一方、その収集したデータを所定のデータ処理手段を使用してリアルタイムあるいは適宜時期にデータを処理するとともに、表示画面に関するデータを前記表示装置側に配信可能とするものであり、
　前記表示装置は、メモリ上のデータを表示制御手段で参照しながら前記画面上で画像表示動作を行うものであって、
　前記内部メモリ上には、実行すべき個別の動作内容を特定する参照情報を備えた複数の処理指示語を、表示処理すべき一連の動作内容に対応させて格納するための事象データ格納手段を備え、
　前記表示制御手段では、前記事象データ格納手段に格納された処理指示語を順次に解読し、各処理指示語の参照情報に基づいて間接的に特定される各種データを参照しながら、その解読内容に対応した画像表示動作を前記画面上で可能とし、
　前記内部メモリ上には、前記表示制御手段による画像表示動作時に該表示制御手段により参照されるデータを格納する参照データ格納手段を備え、
　前記処理指示語として、ビデオ画像を前記画面上で表示可能とするビデオ画像表示用の処理指示語を備え、
　前記表示装置は、表示前記ビデオカメラから出力される動画像と、該動画像から作られる静止画像の少なくとも何れか１つを特定可能な情報を備え、
　該アドレスで特定される前記内部メモリ上の所定のメモリ領域には、所定のビデオ画像番号をウインドウ基本情報として格納し、
　前記表示制御手段による前記処理指示語の解読時に画像表示用ウインドウの表示時期を規定するコントロール情報に基づいてビデオ画像の表示時期が検出されると、前記ビデオ表示情報が前記ビデオ画像番号で特定され、前記ビデオ画像番号で特定されたあと、該ビデオ表示情報を利用してビデオ画像の表示動作が前記表示制御手段により前記ウインドウの画面上で継続されることを特徴とする制御システム。」
　
である点で一致し、以下の点で相違する。
　
（相違点１）
　
　本願補正発明では、コンピュータ装置が収集したデータを、データ解析可能とするとともに、その解析結果の表示画面に関するデータを表示装置側に配信可能とし、そのため、
　少なくとも何れか１つを特定可能な情報に、コンピュータ装置から送られる前記解析結果の表示画面を含むのに対し、
　
　引用文献１発明では、コンピュータ装置が収集したデータを、処理するとともに、表示画面に関するデータを前記表示装置側に配信可能とするものの、当該処理がデータ解析ではないために、コンピュータ装置が上記のような処理を行っておらず、そのため、
　少なくとも何れか１つを特定可能な情報に、コンピュータ装置から送られる前記解析結果の表示画面を含まない点。
　
（相違点２）
　
　本願補正発明では、表示装置が、外部メモリに記憶されたデータファイルを内部メモリに読み込み、該内部メモリに読み込まれたデータの画像表示動作を行うものであり、そのため、
　前記データファイルが、前記外部メモリに記憶されるものであり、
　前記表示制御手段により事象データ格納手段中の処理指示語としてビデオ画像表示用の処理指示語が含まれている画面表示が行なわれる場合、初期化動作として当該データファイルを構成する情報が前記参照データ格納手段に設定されたビデオ制御エリア上に格納され、
　前記表示制御手段による前記処理指示語の解読時に前記コントロール情報に基づいてビデオ画像の表示時期が検出されると、当該データファイル中における情報が前記ビデオ制御エリア上に格納されるのに対し、
　
　引用文献１発明では、表示装置が、内部メモリ上のデータの画像表示動作を行うものの、当該データが外部メモリに記憶されたデータファイルを内部メモリに読み込んだものではなく、そのため、
　前記データファールが、前記外部メモリに記憶されるものはなく、
　表示制御手段により事象データ格納手段中の処理指示語によって、ビデオ画像表示用の処理指示語が含まれている画面表示が行なわれるものの、初期化動作として前記データファイルを構成する情報が前記参照データ格納手段に設定されたビデオ制御エリア上に格納されておらず、
　前記表示制御手段による前記処理指示語の解読時にコントロール情報に基づいてビデオ画像の表示時期が検出されるものの、データファイル中における情報がビデオ制御エリア上に格納されない点。
　
（相違点３）
　
　本願補正発明では、データファイルを、特定の表示内容に関係しないシステム情報を含むシステムファイルと、画像ファイルとから構成して、ビデオ画像の表示動作がウインドウの分割画面上で継続され、そのため、
　画像ファイルには、ディスプレイの画面に全面に亘って表示されるベース画面上の所定座標に開かれる画像表示用ウインドウを特定可能とするウインドウ情報と、該ウインドウ情報により特定された画像表示用ウインドウ上における画面の分割状態を特定可能とする画面分割情報と、該画面分割情報で特定される各分割画面上で表示される画像内容を特定可能とする画像情報と、をビデオ表示情報として含み、
　ビデオ画像番号でその画像表示に必要な前記ビデオ表示情報を複数種類から１つに特定可能に前記画像ファイルを格納しておき、
　内部メモリ上の所定のメモリ領域には、画像表示用ウインドウの表示時期を規定するコントロール情報と、ベース画面上における前記画像表示用ウインドウの前記表示座標をウインドウ基本情報として格納するのに対し、
　
　引用文献１発明では、データファイルを上記のように構成することなく、ビデオ画像の表示動作が、ウインドウの分割画面上ではなく、ウインドウの画面上で継続され、そのため、
　画面上で表示される画像内容を特定可能とする情報を、ビデオ表示情報として備えるものの、当該特定可能とする情報は上記のような情報を含むビデオ表示情報として画像ファイルに含まれておらず、
　ビデオ画像番号を備えるものの、ビデオ画像番号でその画像表示に必要な前記ビデオ表示情報を複数種類から１つに特定可能に前記画像ファイルを格納しておらず、
　画像表示用ウインドウの表示時期を規定するコントロール情報を備えるものの、当該コントロール情報を上記のような情報を含むウインドウ基本情報として格納していない点。
　
（相違点４）
　
　本願補正発明は、コントロール情報に基づいてビデオ画像の表示停止時期が検出されると、前記画面上に開かれていた前記ウインドウが閉じられるものであって、更に、
　内部メモリ上に格納した前記ウインドウ基本情報とビデオ表示情報をともに、前記表示装置の内外から変更可能とするものであるのに対し、
　
　引用文献１発明は、そのような構成でない点。
　
（４−４）相違点についての判断
　
（相違点１について）
　
　データを収集するコンピュータ装置にてデータ解析を行い、当該データ解析の結果を表示装置に配信して表示することは、周知技術である。
　
　してみると、引用文献１発明において、コンピュータ装置が収集したデータを、データ解析可能とするとともに、その解析結果の表示画面に関するデータを表示装置側に配信可能とすることは、当業者であれば適宜になし得るものである。
　
　そして、引用文献１発明において、上記周知技術を適用し、コンピュータ装置が収集したデータを、データ解析可能とするとともに、その解析結果の表示画面に関するデータを表示装置側に配信可能とするのであれば、そのため、少なくとも何れか１つを特定可能な情報に、コンピュータ装置から送られる前記解析結果の表示画面を含むよう構成することは、当業者であれば適宜になし得る設計的事項にすぎないものである。
　
　したがって、相違点１に係る本願補正発明の構成は、引用文献１発明及び周知技術に基づいて、当業者が容易に想到し得たものである。
　
（相違点２について）
　
　上記引用文献２には、「表示制御手段によって参照される情報を含むデータファイルを記憶するための外部メモリと、内部メモリ上にあって、表示制御手段による画像表示動作時に該表示制御手段により参照されるデータを格納する参照データ格納手段とを備えた表示装置」との記載事項が開示されている。
　
　してみると、引用文献１発明において、引用文献２の記載事項に基づき、表示制御手段によって参照される情報を含むデータファイルを記憶するための外部メモリと、内部メモリ上にあって、表示制御手段による画像表示動作時に該表示制御手段により参照されるデータを格納する参照データ格納手段とを適用し、表示装置が、外部メモリに記憶されたデータファイルを内部メモリに読み込み、該内部メモリに読み込まれたデータの画像表示動作を行うよう構成することは、当業者であれば適宜になし得るものである。
　
　そして、引用文献１発明において、上記引用文献２の記載事項に基づき、表示装置が、外部メモリに記憶されたデータファイルを内部メモリに読み込み、該内部メモリに読み込まれたデータの画像表示動作を行うよう構成するのであれば、そのため、前記データファイルが、前記外部メモリに記憶されるものであり、前記表示制御手段により事象データ格納手段中の処理指示語としてビデオ画像表示用の処理指示語が含まれている画面表示が行なわれる場合、初期化動作として当該データファイルを構成する情報が前記参照データ格納手段に設定されたビデオ制御エリア上に格納され、前記表示制御手段による前記処理指示語の解読時に前記コントロール情報に基づいてビデオ画像の表示時期が検出されると、当該データファイル中における情報が前記ビデオ制御エリア上に格納されるよう構成することは、当業者であれば適宜になし得る設計的事項にすぎないものである。
　
　したがって、相違点２に係る本願補正発明の構成は、引用文献１発明及び引用文献２の記載事項に基づいて、当業者が容易に想到し得たものである。
　
（相違点３について）
　
　分割したウインドウに共通の画像の表示内容とは無関係なウインドウ枠情報等からなるシステムファイルと、分割したウインドウ毎の画像の表示内容や画像の表示に係わる画像ファイルとから画像表示のためのデータファイルを構成し、当該データファイルを参照してウインドウの分割画面上で当該ウインドウ毎の画像の表示の処理を行うことは、周知技術である。
　
　してみると、引用文献１発明において、上記周知技術を適用し、データファイルを、特定の表示内容に関係しないシステム情報を含むシステムファイルと、画像ファイルとから構成して、ビデオ画像の表示動作がウインドウの分割画面上で継続されるよう構成することは、当業者であれば適宜になし得る設計的事項にすぎないものである。
　
　そして、引用文献１発明において、上記周知技術を適用し、データファイルを、特定の表示内容に関係しないシステム情報を含むシステムファイルと、画像ファイルから構成して、ビデオ画像の表示動作がウインドウの分割画面上で継続されるよう構成するのであれば、そのため、画像ファイルには、ディスプレイの画面に全面に亘って表示されるベース画面上の所定座標に開かれる画像表示用ウインドウを特定可能とするウインドウ情報と、該ウインドウ情報により特定された画像表示用ウインドウ上における画面の分割状態を特定可能とする画面分割情報と、該画面分割情報で特定される各分割画面上で表示される画像内容を特定可能とする画像情報と、をビデオ表示情報として含み、ビデオ画像番号でその画像表示に必要な前記ビデオ表示情報を複数種類から１つに特定可能に前記画像ファイルを格納しておき、内部メモリ上の所定のメモリ領域には、前記ベース画面上における前記画像表示用ウインドウの前記表示座標をウインドウ基本情報として格納するよう構成することは、当業者であれば適宜になし得る設計的事項にすぎないものである。
　
　したがって、相違点３に係る本願補正発明の構成は、引用文献１発明及び周知技術に基づいて、当業者が容易に想到し得たものである。
　
（相違点４について）
　
　表示されているウインドウを閉じたり、その表示のされ方をコントロールすることは周知技術である。
　
　してみると、引用文献１発明において、上記周知技術を適用し、コントロール情報に基づいてビデオ画像の表示停止時期が検出されると、前記画面上に開かれていた前記ウインドウが閉じられるものであって、更に、内部メモリ上に格納した前記ウインドウ基本情報とビデオ表示情報をともに、前記表示装置の内外から変更可能とするものであるように構成することは当業者であれば適宜になし得る設計的事項にすぎないものである。
　
　したがって、相違点４に係る本願補正発明の構成は、引用文献１発明及び周知技術に基づいて、当業者が容易に想到し得たものである。
　
　そして、本願補正発明の作用効果も、引用文献１、引用文献２及び周知技術から当業者が予測できる範囲のものである。
　
　よって、本願補正発明は、引用文献１発明、引用文献２の記載事項及び周知技術に基づいて、当業者が容易に発明をすることができたものであるから、特許法第２９条第２項の規定により特許出願の際独立して特許を受けることができないものである。
　
（５）本件補正についてのむすび
　
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　
（１）本願の請求項１に係る発明
　
　上記の平成２２年　８月　４日付けでした手続補正は、上記のとおり却下されたので、本願の請求項１に係る発明（以下、「本願発明」という）は、上記の平成１８年　６月２６日付け手続補正書によって補正された明細書の特許請求の範囲の請求項１に記載された事項により特定される上記２．（１）の「＜＜本件補正前の特許請求の範囲の記載＞＞」に記載したとおりのものである。
　
（２）特許法第３６条第６項第１号について
　
　本願発明の「該事象データ格納手段に格納された前記処理指示語から参照可能なデータファイルを記憶するための外部メモリ」の記載では、処理指示語が外部メモリに記憶されたデータファイルを参照可能であるのに対し、本願の発明の詳細な説明の実施例の記載（段落【００４０】）では、処理指示語が内部メモリに記憶されたデータファイルを参照可能であるから、本願の請求項１の記載は、本願の発明の詳細な説明の記載と対応しない。
　
　したがって、本件出願は、明細書及び図面の記載が不備のため、特許法第３６条第６項第１号に規定する要件を満たしていない。
　
（３）特許法第２９条第２項について
　
（３−１）本願発明の認定
　
　仮に、本願発明の「該事象データ格納手段に格納された前記処理指示語から参照可能なデータファイルを記憶するための外部メモリ」なる記載は、「該事象データ格納手段に格納された前記処理指示語から参照可能なデータファイルを記憶するための内部メモリ」であるものと一応認定すると、本願発明は、平成１８年　６月２６日付け手続補正書の特許請求の範囲の請求項１に記載された事項により特定される次のとおりのものである。
　
「　ターゲットシステムを制御可能とするＰＬＣと、ビデオカメラと、コンピュータ装置とが外部装置として表示装置に接続され、前記外部装置から出力されるデータに対応した画像表示動作を前記表示装置におけるディスプレイの画面上で可能とする制御システムにおいて、
　前記コンピュータ装置は、
　前記表示装置を介して前記ＰＬＣのメモリユニット内から適宜時期にデータを収集可能とする一方、その収集したデータを所定のデータ処理手段を使用してリアルタイムあるいは適宜時期にデータ解析可能とするとともに、その解析結果画面情報を前記表示装置側に配信可能とするものであり、
　該表示装置は、
　内部メモリ上にあって、実行すべき個別の動作内容を特定する参照情報を備えた処理指示語を、表示処理すべき一連の動作内容に対応させて格納するための事象データ格納手段と、
　該事象データ格納手段に格納された前記処理指示語から参照可能なデータファイルを記憶するための内部メモリと、
　前記事象データ格納手段に格納された処理指示語を順次に解読し、その解読内容に対応した画像表示動作を前記画面上で行わせる表示制御手段と、
　前記内部メモリ上にあって、前記表示制御手段による画像表示動作時に参照されるデータを格納する参照データ格納手段とを備え、
　前記データファイルは、特定の表示内容に関係しないシステム情報を含むシステムファイルと、画像ファイルとから構成され、
　該画像ファイルには、
　画像表示用ウインドウを特定可能とするウインドウ情報と、
　該画像表示用ウインドウ上における画面の分割状態を特定可能とする画面分割情報と、
　該画面分割情報で特定される各分割画面上で表示される画像内容を特定可能とする画像情報とが含まれ、
　該画像情報には、前記ビデオカメラから出力される動画像情報と、前記コンピュータ装置から送られる前記解析結果画面情報とが含まれ、
　前記画像表示用ウインドウは、前記ディスプレイの画面に全面に亘って表示されるベース画面上の所定座標に、前記ウインドウ情報に基づいて開かれるものであり、
　前記分割画面は、前記画像表示用ウインドウを前記画面分割情報に基づいて分割することにより構成されるものであり、
　前記表示制御手段によるビデオ画像の表示時期に前記処理指示語を介して参照される参照情報は、前記内部メモリ上における所定アドレスであって、
　該アドレスで特定される所定のメモリ領域には、前記画像表示用ウインドウの表示時期を規定するコントロール情報と、前記ベース画面上における前記画像表示用ウインドウの前記表示座標と、前記画像表示用ウインドウに表示される前記画像情報中におけるビデオ画像を特定するビデオ画像番号がウインドウ基本情報として格納されており、
　前記表示制御手段により処理指示語が解読されてビデオ画像の表示時期が検出されると、
　当該処理指示語から参照される前記データファイル内のビデオ表示に必要な情報は、前記参照データ格納手段に設定されたビデオ制御エリア上にビデオ表示情報として格納され、それ以後は、該ビデオ表示情報を利用してビデオ画像の表示動作が前記表示制御手段により前記分割画面上で行われることを特徴とする制御システム。」
　
（３−２）引用文献に記載の発明
　
　引用文献１に記載の発明（以下、「引用文献１発明」という。）は、上記２．（４）（４−２）の項に記載したとおりのものである。
　
（３−３）対比
　
　本願発明と引用文献１発明とを対比すると、本願発明は、上記２．（３）の「補正の目的」の項において示した上記本願補正発明において、特許請求の範囲を限定的に減縮するための補正事項の構成を省いたものに、「該事象データ格納手段に格納された前記処理指示語から参照可能なデータファイルを記憶するための内部メモリ」との事項を付加したものである。
　
　そして、引用文献１発明の「前記ビデオＲＡＭ及びＲＡＭ上には、画像表示用の処理指示語の表示制御回路による解読時に、表示制御回路によって参照される映像信号とこれを特定するためのファイル番号とを記憶するための記憶領域」は、当該「画像表示用の処理指示語」が事象データ格納手段に格納されているから、本願発明の上記「該事象データ格納手段に格納された前記処理指示語から参照可能なデータファイルを記憶するための内部メモリ」に相当する。
　
　してみると、本願発明と引用文献１発明とは、上記２．（４）（４−３）「本願補正発明と引用文献１発明との対比」の項で示した相違点１、相違点２、相違点３及び相違点４以外の点で相違するものではない。
　
（３−４）相違点についての判断
　
　上記相違点１、相違点２、相違点３及び相違点４についての判断は、上記２．（４）（４−４）「相違点についての判断」の項で示したとおりであるから、本願発明は、引用文献１発明、引用文献２の記載事項及び周知技術に基づいて、当業者が容易に発明をすることができたものであり、特許法第２９条第２項の規定により特許を受けることができない。
　
４．むすび
　
　上記のとおり、本件出願は、明細書及び図面の記載が不備のため、特許法第３６条第６項第１号に規定する要件を満たしていない。
　
　また、仮に、本願の請求項１に係る発明を、上記３．（３）（３−１）の「本願発明の認定」の項で示したものと認定したとしても、本願の請求項１に係る発明は、引用文献１発明、引用文献２の記載事項及び周知技術に基づいて、当業者が容易に発明をすることができたものであるから、他の請求項に係る発明を検討するまでもなく、特許法第２９条第２項の規定により特許を受けることができないため、本願は拒絶すべきものである。
　
　よって、結論のとおり審決する。